(57)【要約】【課題】貨幣投入用の開口から工具を差し込む手口に対しても貨幣処理装置の防盗性を確保することのできる自動販売機を提供する。【解決手段】自動販売機は、開口４０を有し、裏面に第１取付板６２を備える化粧パネル３５と、紙幣投入口５０ｃを有し、その貨幣投入口を開口４０から外部に露出させる態様で第１取付板に第３ネジを締結することにより前面パネルの裏面に取り付ける紙幣処理装置５０とを備えている。この自動販売機には、開口４０から第３ネジ７３に至る経路の途中に、開口４０から第３ネジ７３に向けて異物が侵入することを妨げる邪魔板６３を設けてある。【選択図】        図４
2008210176.tif 000002
【特許請求の範囲】
【請求項１】
開口を有し、裏面に取付具を備える前面パネルと、
貨幣投入口を有し、その貨幣投入口を前記開口から外部に露出させる態様で前記取付具に締結具を締結することにより前記前面パネルの裏面に取り付ける貨幣処理装置と
を備える自動販売機において、
前記開口から前記締結具に至る経路の途中に、前記開口から前記締結具に向けて異物が侵入することを妨げる邪魔部材を設けたことを特徴とする自動販売機。
【請求項２】
前記邪魔部材は、前記取付具に取り付けてあり、
前記取付具に対して前記邪魔部材を脱落させる方向に外力が加えられた場合、前記邪魔部材と前記取付具との間を相互に係合し、前記締結具と前記開口との間に前記邪魔部材を維持する係合手段を備えることを特徴とする請求項１に記載の自動販売機。
【請求項３】
前記係合手段は、前記取付具に形成した係合スリットと、前記邪魔部材に設け、前記係合スリットに係合する係合舌片とで構成したものであることを特徴とする請求項２に記載の自動販売機。
【発明の詳細な説明】
【技術分野】
【０００１】
本発明は、自動販売機に関するものである。
【背景技術】
【０００２】
自動販売機には、通常、紙幣投入口を有し、その紙幣投入口を通じて投入された紙幣を処理する紙幣処理装置、および硬貨投入口を有し、その硬貨投入口を通じて投入された硬貨を処理する硬貨処理装置等の貨幣処理装置が設けられている。このような自動販売機は、紙幣投入口、硬貨投入口等の貨幣投入口を通じて、紙幣、硬貨等の貨幣が貨幣処理装置に投入された場合には、貨幣処理装置が入金処理を行い、商品の払い出しを行う。
【０００３】
このように貨幣の取り扱いを行う自動販売機にあっては、貨幣の盗難に対して種々の考慮が成されている。例えば、紙幣処理装置の側方を覆うケースを前面扉の裏面側に設けた自動販売機が存在する。
【０００４】
この自動販売機では、本体キャビネットに対して前面扉がバール等の工具で抉じ開けられ、本体キャビネットと前面扉との間に隙間ができた状態でも、ケースによって、その隙間から紙幣処理装置が現れることを防止することができる。よって、上記隙間に工具を差し込まれた場合でも、ケースによって工具の先端が紙幣処理装置に接触することを防止できるため、自動販売機の防盗性を向上することができる（例えば、特許文献１参照）。
【０００５】
【特許文献１】特開２００１−１１８１２９号公報
【発明の開示】
【発明が解決しようとする課題】
【０００６】
ところで、上記自動販売機において、前面扉の手前側を覆う前面パネルには、開口が形成されており、かつ前面パネルの裏面には、座板（取付具）を有する上記ケースが溶接されている。一方、紙幣処理装置には、上記座板に対応する部位に固定板が設けられている。
【０００７】
固定板には貫通孔が形成されている一方、座板にはネジ孔が形成されており、貫通孔を通したネジ（締結具）を座板のネジ孔に螺合することで、上記紙幣投入口を開口から外部に露出させる態様で前面パネルの背面側に紙幣処理装置が取り付けられている。
【０００８】
このような自動販売機では、上記開口から前面パネルの裏面に沿うよう前面扉の内部にバール等の工具を差し込まれた場合には、工具の先端が上記ネジに接触し、工具でネジが外されることにより紙幣処理装置ごと貨幣を盗まれる虞れがあった。
【０００９】
本発明は、上記実情に鑑み、貨幣投入用の開口から工具を差し込む手口に対しても貨幣処理装置の防盗性を確保することのできる自動販売機を提供することにある。
【課題を解決するための手段】
【００１０】
上記の目的を達成するために、請求項１に係る発明は、開口を有し、裏面に取付具を備える前面パネルと、貨幣投入口を有し、その貨幣投入口を前記開口から外部に露出させる態様で前記取付具に締結具を締結することにより前記前面パネルの裏面に取り付ける貨幣処理装置とを備える自動販売機において、前記開口から前記締結具に至る経路の途中に、前記開口から前記締結具に向けて異物が侵入することを妨げる邪魔部材を設けたことを特徴とする。
【００１１】
また、本発明の請求項２にかかる自動販売機は、上記請求項１において、前記邪魔部材は、前記取付具に取り付けてあり、前記取付具に対して前記邪魔部材を脱落させる方向に外力が加えられた場合、前記邪魔部材と前記取付具との間を相互に係合し、前記締結具と前記開口との間に前記邪魔部材を維持する係合手段を備えることを特徴とする。
【００１２】
また、本発明の請求項３にかかる自動販売機は、上記請求項２において、前記係合手段は、前記取付具に形成した係合スリットと、前記邪魔部材に設け、前記係合スリットに係合する係合舌片とで構成したものであることを特徴とする。
【発明の効果】
【００１３】
本発明にかかる自動販売機によれば、開口から締結具に至る経路の途中に、開口から締結具に向けて異物が侵入することを妨げる邪魔部材を設けてあるため、貨幣投入用の開口から、前面パネルの背面を沿うよう工具を差し込まれた場合でも、邪魔部材によって締結具に工具が接触することを防止することができる。よって、工具で締結具が外されることを防止することができるため、貨幣投入用の開口に工具を差し込む手口に対しても貨幣処理装置の防盗性を確保することができる。
【発明を実施するための最良の形態】
【００１４】
以下、添付図面を適宜参照しながら、本発明に係る自動販売機の好適な実施の形態について詳細に説明する。
【００１５】
図１は、本発明にかかる自動販売機を示したものである。この自動販売機は、硬貨、紙幣等の貨幣の投入があった場合、缶入り飲料、ペットボトル入り飲料等の商品の払い出しを行うもので、内部に商品を収容する不図示の本体キャビネットを備えている。
【００１６】
本体キャビネットは、複数の壁板を組み合わせることによって前面が開口した箱状に構成したもので、それぞれの壁板に断熱材を配置することによって断熱機能を有する商品収容空間をその内部に画成してある。図には明示していないが、本実施の形態で例示する本体キャビネットは、缶、ペットボトル等の容器に充填された商品である飲料を冷却、もしくは加熱した状態で収容するものである。
【００１７】
本体キャビネットの前面には、前面扉１１が配設してある。前面扉１１は、自身の一側縁部を介して、本体キャビネットの一側縁部にヒンジを介して取り付けてあり、本体キャビネットの開口を開閉するものである。なお、以下の説明において、前面扉１１がある側を自動販売機の手前側（前面側）とし、本体キャビネットがある側を奥側（背面側）として説明する。
【００１８】
前面扉１１は、扉主板１１ａと、右扉枠１１ｂと、左扉枠１１ｃと、上扉枠１１ｄとで構成してある。扉主板１１ａは、その縦横の大きさが、本体キャビネットの前面開口の下半分の縦横の大きさよりも大きくなるよう形成してある。この扉主板１１ａは、左側端部を背面側に折り曲げ、右側端部を背面側に折り曲げ、上側端部を背面側に折り曲げ、かつ下側端部を背面側に折り曲げた後、その折り曲げた端部を相互に突き合わせ溶接することで構成してある。各端部をそれぞれ折り曲げた扉主板１１ａは、本体キャビネットの開口の下半分を閉塞する大きさを有している。
【００１９】
右扉枠１１ｂは、扉主板１１ａの背面側に折り曲げた右側端部に溶接するもので、扉主板１１ａを補強するものである。この右扉枠１１ｂの上下方向の長さは、本体キャビネットの上下方向の長さと同一である。
【００２０】
左扉枠１１ｃは、扉主板１１ａの背面側に折り曲げた左側端部に溶接するもので、扉主板１１ａを補強するものである。この左扉枠１１ｃの上下方向の長さは、本体キャビネットの上下方向の長さと同一である。
【００２１】
上扉枠１１ｄは、右扉枠１１ｂの上端端と、左扉枠１１ｃの上端部との間に掛け渡す態様で、それら扉枠１１ｂ，１１ｃの上端部にそれぞれ溶接するものである。この上扉枠１１ｄの左右方向の長さは、本体キャビネットの左右方向の長さと同一である。
【００２２】
扉主板１１ａに各扉枠１１ｂ，１１ｃ，１１ｄをそれぞれ取り付けた前面扉１１の縦横の大きさは、本体キャビネットの前面側の縦横の大きさと同一である。
【００２３】
この前面扉１１の内部には、扉主板１１ａの背面側に折り曲げた上側端部と、右扉枠１１ｂと、左扉枠１１ｃと、上扉枠１１ｄとによって商品見本展示室１５を画成してある。
【００２４】
商品見本展示室１５の内部には、金属材料により横断面がコ字状に形成され、開放面が奥側に向いた中央枠１６を配設してある。この中央枠１６は、上下方向に沿って延在し、互いに対向する一対の側板１６ａ，１６ｂと、一方の側板１６ａと他方の側板１６ｂとを連結する連結部とを備えている。これら一対の側板１６ａ，１６ｂによって、商品見本展示室１５を、図１中、左側に位置する第１商品見本展示部１７と、図１中、右側に位置する第２商品見本展示部１８とに分断してある。
【００２５】
各商品見本展示部１７，１８には、商品見本展示台２０を上下方向に複数並設してある。この実施の形態では、各商品見本展示部１７，１８には、商品見本展示台２０を上下方向に複数並設してある。
【００２６】
商品見本展示台２０は、商品見本２１を複数搭載できるよう台状に構成してある。この実施の形態では、商品見本展示台２０は、商品見本２１を５つ搭載できるよう商品見本２１を挿入するための商品見本挿入孔２０ａを５つ有するよう台状に形成してある。
【００２７】
第１商品見本展示部１７の前面側には、透明板２４が配設してある。また、第２商品見本展示部１８の前面側には、透明板２４が配設してある。
【００２８】
各透明板２４には、商品見本展示台２０に対応するよう押ボタンユニット２５を配設してある。押ボタンユニット２５は、商品見本２１に対応し、商品を選択するための押ボタン２５ａを複数備えている。この実施の形態では、各押ボタンユニット２５は、５つの押ボタン２５ａをそれぞれ有している。この押ボタン２５ａは、透明板２４に形成した不図示のボタン挿入孔を通じて商品見本展示室１５の外部に臨む態様で配置してある。
【００２９】
扉主板１１ａの下部には、商品取出口３９を形成してある。この商品取出口３９は、本体キャビネットに収容された商品が払い出された場合に、これを外部に取り出すための開口である。
【００３０】
中央枠１６の前面側であって、前面扉１１の中央領域には、金属材料を薄板状に形成した化粧パネル（前面パネル）３５を配設してある。化粧パネル３５は、上下方向に延在し、かつ下方の先端側が徐々に先細となる態様で形成してある。化粧パネル３５の先細となる先端側は、商品見本展示室１５の下部よりも下方に突出している。
【００３１】
化粧パネル３５には、表示部４１、不図示の硬貨処理装置（貨幣処理装置）のための開口、返却レバー４３、硬貨返却口４４、図４に示す紙幣処理装置（貨幣処理装置）のための開口４０等、商品を販売する上で必要となる構成を設けてある。
【００３２】
図１に示す表示部４１は、利用者が投入した貨幣の入金額、釣銭の金額等々、商品を販売する上で必要となる各種情報を外部に表示するためのものであり、例えば液晶表示器によって構成してある。
【００３３】
硬貨処理装置のための開口は、前面扉１１の内部に設けた硬貨処理装置に利用者が硬貨を投入するためのものである。この開口を通じて投入された硬貨は、上記硬貨処理装置において適宜処理されることとなる。硬貨処理装置は、前面側に硬貨投入口４９を有し、硬貨投入口４９を通じて投入された硬貨が正規なものであるか否かを識別し、正規なものとして識別した硬貨を内部に取り込む一方、損傷や偽造等の理由により正規なものとして識別できなかった硬貨を返却するものである。また、硬貨処理装置は、硬貨が投入された直後に返却レバー４３が操作された場合、これを返却するように機能する。なお、硬貨処理装置によって正規なものとして内部に取り込まれた硬貨は、その後、図示していない硬貨回収箱に回収されることとなる。また、硬貨投入口４９から投入した硬貨を返却する場合には、硬貨返却口４４を通じて行われる。
【００３４】
紙幣処理装置のための開口４０は、前面扉１１の内部に設けた図２〜図４に示す紙幣処理装置５０に利用者が紙幣を投入するためのものである。この開口４０を通じて投入された紙幣は、上記紙幣処理装置５０において適宜処理されることとなる。紙幣処理装置５０は、投入された紙幣を収容する直方体状の本体部５０ａと、その本体部５０ａに紙幣を搬送し、本体部５０ａから前面側に突出する紙幣搬送部５０ｂとを備えている。紙幣搬送部５０ｂは、前面側に紙幣投入口５０ｃを有しており、その縦横の大きさが、前面パネルに形成した開口４０の縦横の大きさと同一である。
【００３５】
このような紙幣処理装置５０は、紙幣投入口５０ｃを上記開口４０から外部に露出させる態様で後述するように中央枠１６を介して化粧パネル３５に取り付けてある。また、紙幣処理装置５０は、紙幣投入口５０ｃを通じて投入された紙幣が正規なものであるか否かを識別し、正規なものとして識別した紙幣を内部に取り込む一方、損傷や偽造等の理由により正規なものとして識別できなかった紙幣を返却するものである。また、紙幣処理装置５０は、紙幣が投入された直後に返却レバー４３が操作された場合、これを返却するように機能する。なお、紙幣投入口５０ｃは、紙幣を返却する際の紙幣返却口としても機能する。
【００３６】
前面扉１１において、開口４０を設けた部位には、図４に示すように、開口４０を塞ぐ態様で化粧枠６６を設けてある。この化粧枠６６は、紙幣投入口５０ｃに投入する紙幣を案内する案内部材６６ｃと、紙幣投入口５０ｃに雨水や塵が入ることを防止するカバー６６ｂとを備えている。カバー６６ｂは、水平軸６６ａを中心に揺動可能な態様で化粧枠６６に取り付けてある。
【００３７】
この紙幣処理装置５０の本体部５０ａには、上方に向けて突出する第１固定板５１を設けてあり、かつ下方に向けて突出する第２固定板５２を設けてある。第１固定板５１の両側端部近傍には、図３および図４に示すように、第１貫通孔５１ａを形成してある。また、第２固定板５２の両側端部近傍には、ネジ挿入用切欠５２ａを形成してある。
【００３８】
さらに、この紙幣処理装置５０は、装置収容箱５５を備えている。装置収容箱５５は、金属材料で形成してあり、紙幣処理装置５０の一方の側方を覆うカバー側部５５ａと、紙幣処理装置５０の他方の側方を覆うカバー側部５５ｂと、紙幣処理装置５０の上方を覆うカバー天部５５ｃと、紙幣処理装置５０の前面側を覆うカバー前面部５５ｄと、カバー前面部５５ｄの下端部から背面側に向けて突出するカバー底部５５ｅとで構成してあって、カバー側部５５ａ，５５ｂと、カバー天部５５ｃと、カバー前面部５５ｄとで画成する装置収容空間５５ｓに紙幣処理装置５０を収容するものである。カバー前面部５５ｄの縦横の大きさは、紙幣処理装置５０の前面側の縦横の大きさよりもわずかに大きい。
【００３９】
また、カバー前面部５５ｄには、化粧パネル３５の開口４０を通して前面扉１１の内部から外部に通じるカバー開口５５ｆを形成してある。このカバー開口５５ｆの縦横の大きさは、紙幣投入口５０ｃの縦横の大きさとほぼ同一である。
【００４０】
さらに、カバー前面部５５ｄにおいて、その上部には、第２貫通孔５５ｇを３つ形成してあり、上下方向の中央よりやや下側には、第３貫通孔５５ｈを３つ形成してある。
【００４１】
カバー天部５５ｃには、下方に向けて突出する第３固定板５５ｉを設けてあり、カバー底部５５ｅには、上方に向けて突出する第４固定板５５ｊを設けてある。第３固定板５５ｉの両側端部近傍には、第３ネジ孔５５ｍを形成してある。第４固定板５５ｊの両側端部近傍には、第４ネジ孔５５ｎを形成してある。
【００４２】
また、上記中央枠１６の連結部は、裏面に、紙幣処理装置５０を取り付けるための第１取付板（取付具）６２および第２取付板６４を備えている。
【００４３】
第１取付板６２は、上記開口４０より下方であって、中央枠１６の連結部の裏面に設けてある。この第１取付板６２は、例えば金属材料によって形成してあり、第１板状部６２ａと、第２板状部６２ｂと、第３板状部６２ｃと、第４板状部６２ｄと、第５板状部６２ｅとで構成してある。
【００４４】
第１板状部６２ａは、自身の上端部が上記開口４０の下端部近傍に位置し、上下方向に延在するよう形成してある。
【００４５】
第２板状部６２ｂは、第１板状部６２ａの下端部から自動販売機の奥側に向けて突出するよう形成してある。この第２板状部６２ｂの手前側には、左右方向に沿って係合スリット６２ｓを形成してある。
【００４６】
第３板状部６２ｃは、第２板状部６２ｂの奥側端部から下方に向けて延在するよう形成してある。この第３板状部６２ｃには、第５ネジ孔６２ｆを３つ形成してある。
【００４７】
第４板状部６２ｄは、第３板状部６２ｃの下端部から自動販売機の手前側に向けて突出するよう形成してある。
【００４８】
第５板状部６２ｅは、第４板状部６２ｄの手前側端部から下方に向けて延在するよう形成してある。
【００４９】
この第１取付板６２の第１板状部６２ａには、開口４０と第５ネジ孔６２ｆとの間に位置するよう邪魔板（邪魔部材）６３を配設してある。この邪魔板６３は、例えば剛性を有する鋼材等で形成してあり、第１取付板６２に接触する接触部（係合舌片）６３ａと、上記第１取付板６２の第１板状部６２ａとで空間を形成する空間形成部６３ｃと、上記接触部６３ａおよび空間形成部６３ｃを連結する連結部６３ｂとで構成してある。この邪魔板６３は、例えば接触部６３ａを第１板状部６２ａにスポット溶接で取り付けてある。
【００５０】
接触部６３ａは、自身の下端部が上記第１取付板６２の係合スリット６２ｓの上方に位置し、上下方向に延在するよう板状に形成してある。この接触部６３ａの左右方向の長さは、上記係合スリット６２ｓの左右方向の長さよりも短い。また、接触部６３ａの前後方向の厚さは、上記係合スリット６２ｓの前後方向の長さよりも短い。よって、第１取付板６２から邪魔板６３を取り外す方向に外力が加えられた場合、係合スリット６２ｓに接触部６３ａが挿入されることとなる。
【００５１】
連結部６３ｂは、接触部６３ａの上端部から奥側に突出するよう板状に形成してある。この連結部６３ｂは、邪魔板６３を第１取付板６２に取り付けた状態では、中央枠１６の連結部の裏面から背面側に向けて突出する。
【００５２】
空間形成部６３ｃは、連結部６３ｂの奥側端部の上面から、上方に向けて突出するよう板状に形成してある。
【００５３】
この邪魔板６３は、開口４０から後述する第３ネジに至る経路の途中に設けるものであって、開口４０から第３ネジに向けてバール等の工具が侵入することを妨げる機能を有している。
【００５４】
また、上記係合スリット６２ｓと、その係合スリット６２ｓに係合する接触部６３ａとで係合手段８０を構成している。
【００５５】
第２取付板６４は、上記開口４０より上方であって、中央枠１６の連結部の裏面に設けてある。この第２取付板６４は、例えば金属材料によって形成してあり、少なくとも前面側の第１１板状部６４ａと、背面側の第１２板状部６４ｂとを備えている。第１１板状部６４ａには、第６ネジ孔６４ｃを形成してあり、第１２板状部６４ｂには、第７ネジ孔６４ｄを形成してある。
【００５６】
次に、紙幣処理装置５０を前面扉１１に取り付ける場合を説明する。ここでは、第２取付板６４および第１取付板６２を中央枠１６の連結部の背面側にスポット溶接により取り付けてあるものとして説明する。
【００５７】
先ず、第１取付板６２の第５ネジ孔６２ｆに第３貫通孔５５ｈが合致し、かつ第２取付板６４の第６ネジ孔６４ｃに第２貫通孔５５ｇが合致するとともに、化粧パネル３５の開口４０と上記カバー開口５０ｆとが連通するよう化粧パネル３５に対して装置収容箱５５を配置してから、第３貫通孔５５ｈを通した第３ネジ７３を第５ネジ孔６２ｆに螺合させ、かつ第２貫通孔５５ｇを通した第４ネジ７４を第６ネジ孔６４ｃに螺合させることで、中央枠１６を介して化粧パネル３５に装置収容箱５５を取り付ける。
【００５８】
次いで、装置収容箱５５の第３ネジ孔５５ｍに第１貫通孔５１ａが合致し、かつ装置収容箱５５の第４ネジ孔５５ｎにネジ挿入用切欠５２ａが合致するよう装置収容箱５５に対して紙幣処理装置５０を配置してから、第１貫通孔５１ａを通した第５ネジ７５を第３ネジ孔５５ｍに螺合させ、かつネジ挿入用切欠５２ａを通した第６ネジ７６を第４ネジ孔５５ｎに螺合させることで、紙幣処理装置５０を装置収容箱５５に取り付ける。
【００５９】
この自動販売機では、図５に示すように、バール等の工具６９で化粧枠６６が破壊され、かつ上記開口４０に工具６９を挿入された場合でも、開口４０から第３ネジ７３に至る経路の途中に設けた邪魔板６３によって、工具６９の先端が第３ネジ７３に接触することを防止することができる。よって、工具６９で第３ネジ７３が外されることを防止することができるため、開口４０に工具６９を差し込む手口に対しても紙幣処理装置５０の防盗性を確保することができる。加えて、邪魔板６３を鋼材で形成するため、化粧枠６６が破壊された状態でも、開口４０から紙幣処理装置５０が現れることを防止することができる。よって、紙幣処理装置５０の防盗性を確実にすることができる。
【００６０】
さらに、工具６９で第１取付板６２の第１板状部６２ａと邪魔板６３の空間形成部６３ｃとで形成される空間を拡げるよう外力が加えられた場合、すなわち邪魔板６３を第１取付板６２から取り外す方向に外力が加えられた場合、係合手段８０によって、邪魔板６３と第１取付板６３との間を相互に係合し、第３ネジ７３と開口４０との間に邪魔板６３が維持されることとなる。よって、紙幣処理装置５０の防盗性を一層、確実にすることができる。
【００６１】
なお、上述した実施の形態には、貨幣処理装置の一例として紙幣処理装置５０を適用するもので説明した。しかし、この発明は、それに限られず、貨幣処理装置として硬貨処理装置を適用しても良い。
【図面の簡単な説明】
【００６２】
【図１】本発明にかかる自動販売機の正面図である。
【図２】図１に示した自動販売機が備える前面扉の一部を背面側から示した斜視図である。
【図３】図１に示した自動販売機が備える紙幣処理装置を、前面扉の化粧パネルに取り付ける場合を示す説明図である。
【図４】図３に示した化粧パネルに対する紙幣処理装置の取り付けを示す断面図である。
【図５】図１に示した自動販売機において、開口に工具を挿入された場合を示す説明図である。
【符号の説明】
【００６３】
１１      前面扉
３５      化粧パネル（前面パネル）
４０      開口
５０      紙幣処理装置（貨幣処理装置）
５５      装置収容箱
６２      第１取付板（取付具）
６２ｓ    係合スリット
６３      邪魔板（邪魔部材）
６３ａ    接触部（係合舌片）
６６ｂ    連結部
６３ｃ    空間形成部
７３      第３ネジ（締結具）
８０      係合手段
【図１】
2008210176.tif 000003
【図２】
2008210176.tif 000004
【図３】
2008210176.tif 000005
【図４】
2008210176.tif 000006
【図５】
2008210176.tif 000007